(57)【特許請求の範囲】
【請求項１】
アンテナを介して外部装置との間で無線通信を行うことが可能な無線通信部と、
前記無線通信部により前記外部装置から受信されたキャリアを検出するキャリア検出部と、
ディジタル制御により各種情報を表示する表示部と、
前記キャリア検出部によってキャリアが検出された場合に、当該検出をトリガとして前記表示部における表示を禁止し、前記キャリア検出部によるキャリアの検出が停止した場合に前記表示部における表示を再開する表示禁止部と
を備えたことを特徴とする携帯型情報機器。
【請求項２】
請求項１記載の携帯型情報機器において、
前記無線通信部における前記データ通信と前記表示部における表示とを交互に行わせる制御部を備えたことを特徴とする携帯型情報機器。
【請求項３】
請求項１または請求項２記載の携帯型情報機器において、
前記表示部は、実際に表示を行う表示パネル部と、
前記表示パネル部を駆動する表示駆動部と、を備え、
前記表示禁止部は、前記表示部における表示を禁止するに際し、前記表示駆動部の動作を停止する、
ことを特徴とする携帯型情報機器。
【請求項４】
請求項１または請求項２記載の携帯型情報機器において、
前記表示部は、実際に表示を行う表示パネル部と、
外部からの表示制御信号に基づいて前記表示パネル部を駆動する表示駆動部と、を備え、
前記表示禁止部は、前記表示部における表示を禁止するに際し、前記表示制御信号の入力を禁止する、
ことを特徴とする携帯型情報機器。
【請求項５】
請求項４記載の携帯型情報機器において、
前記アンテナは、前記無線通信部を構成し、前記無線通信を行う回路が搭載された回路基板の前記表示パネル部側に設けられていることを特徴とする携帯型情報機器。
【請求項６】
請求項１ないし請求項５のいずれかに記載の携帯型情報機器において、
前記無線通信部は、外部装置との間で双方向無線通信を行うことを特徴とする携帯型情報機器。
【請求項７】
請求項１ないし請求項６のいずれかに記載の携帯型情報機器において、
計時処理を行う計時処理部と電源を供給する電池とを備え、
前記表示部は、前記計時処理部の制御下で前記電池から電源供給により常時時計表示を行うことを特徴とする携帯型情報機器。
【請求項８】
請求項１ないし請求項７のいずれかに記載の携帯型情報機器において、
ユーザの腕に装着可能な腕時計形状を有していることを特徴とする携帯型情報機器。
【請求項９】
請求項１ないし請求項８のいずれかに記載の携帯型情報機器において、
前記表示部の背面側あるいは前面側に配置され、前記表示部の照明を行う照明部と、
前記無線通信部においてデータ通信期間中、前記照明部による照明を禁止する照明禁止部と、
を備えたことを特徴とする携帯型情報機器。
【請求項１０】
アンテナを介して外部装置との間で無線通信を行うことが可能な無線通信部と、
前記無線通信部により前記外部装置から受信されるキャリアを検出するキャリア検出部と、
ディジタル制御により各種情報を表示する表示部と、
前記キャリア検出部によってキャリアが検出された場合に、当該検出をトリガとして前記表示部における表示を禁止し、前記キャリア検出部によるキャリアの検出が停止した場合に前記表示部における表示を再開する表示禁止部と、
前記表示部の背面側あるいは前面側に配置され、前記表示部の照明を行う照明部と
を有し、
前記表示禁止部は、前記無線通信部においてデータ通信期間中、前記照明部による照明を禁止する
ことを特徴とする携帯型情報機器。
【請求項１１】
請求項９または請求項１０記載の携帯型情報機器において、
前記照明部は、ＥＬ照明装置を有することを特徴とする携帯型情報機器。
【請求項１２】
アンテナを介して外部装置との間で無線通信を行うことが可能な無線通信部と、前記無線通信部により前記外部装置から受信されるキャリアを検出するキャリア検出部と、ディジタル制御により各種情報を表示する表示部と、を備えた携帯型情報機器の制御方法において、
前記キャリア検出部によってキャリアが検出されたか否かを判別し、
前記キャリア検出部によってキャリアが検出された場合に、当該検出をトリガとして前記表示部における表示を禁止し、前記キャリア検出部によるキャリアの検出が停止した場合に前記表示部における表示を再開することを特徴とする携帯型情報機器の制御方法。
【請求項１３】
アンテナを介して外部装置との間で無線通信を行うことが可能な無線通信部と、前記無線通信部により前記外部装置から受信されるキャリアを検出するキャリア検出部と、ディジタル制御により各種情報を表示する表示部と、を備えた携帯型情報機器を制御するためのプログラムを記録した記録媒体において、
前記キャリア検出部によってキャリアが検出されたか否かをコンピュータに判別させ、
前記キャリア検出部によってキャリアが検出された場合に、当該検出をトリガとして前記表示部における表示を禁止させ、前記キャリア検出部によるキャリアの検出が停止した場合に前記表示部における表示を再開させるためのプログラムを記録したことを特徴とする記録媒体。
【請求項１４】
アンテナを介して外部装置との間で無線通信を行うことが可能な無線通信部と、前記無線通信部により前記外部装置から受信されるキャリアを検出するキャリア検出部と、ディジタル制御により各種情報を表示する表示部と、を備えた携帯型情報機器を制御するためのプログラムであって、
前記キャリア検出部によってキャリアが検出されたか否かをコンピュータに判別させ、
前記キャリア検出部によってキャリアが検出された場合に、当該検出をトリガとして前記表示部における表示を禁止させ、前記キャリア検出部によるキャリアの検出が停止した場合に前記表示部における表示を再開させる
ことを特徴とするプログラム。
【発明の詳細な説明】
【０００１】
【発明の属する技術分野】
本発明は、携帯型情報機器、携帯型情報機器の制御方法、携帯型情報機器の制御用プログラムを記録した記録媒体および携帯型情報機器の制御用のプログラムに係り、特にディジタル制御により各種情報を表示可能であり、外部とのデータ通信が可能な携帯型情報機器、携帯型情報機器の制御方法、携帯型情報機器の制御用プログラムを記録した記録媒体および携帯型情報機器の制御用のプログラムに関する。
【０００２】
【従来の技術】
従来より各種情報を記録する情報記録媒体として磁気カードが知られている。この磁気カードは安価に製造することはできるが、大量の情報を記録することはできず、機密保持が困難であるという問題点があった。
近年ではこれを解決すべく、大容量の情報を記憶でき、機密保持も容易であるＩＣカードが開発され、普及している。
このようなＩＣカードのなかで非接触型のＩＣカードは、電車乗車券、定期券、スキー場のリフトカードのようにリーダライタに近づけるだけでデータのやり取りを高速に行うことができる機能性やメンテナンスフリー性の観点から各種応用が望まれている。
上記従来の非接触型のＩＣカードにおいては、ＩＣカード単体でデータ内容を表示できるわけではなかった。
小額電子マネーや電車乗車券などとして非接触ＩＣカードを利用する場合には、使用タイミングにおいて、使用金額や残高確認が行えないというのは、使い勝手が悪い。
【０００３】
【発明が解決しようとする課題】
そこで、これを解決すべく、非接触ＩＣカードと同一の機能を実現する非接触ＩＣカード回路を携帯型情報機器に持たせ、さらに各種情報を表示する液晶ディスプレイや有機ＥＬ発光ディスプレイなどを設けることにより、使用金額や残高確認を行うようにすることが考えられる。
しかしながら、液晶ディスプレイや有機ＥＬ発光ディスプレイなどの表示装置のディジタル制御に起因する電磁ノイズにより非接触ＩＣカード回路における通信感度が劣化し、通信距離が短くなったり、通信エラーが発生する可能性が生じることとなる。この場合において、ディジタル制御により各種情報を表示する表示装置から電磁ノイズが発生する原因は、種々存在するが、例えば、液晶ディスプレイや有機ＥＬ発光ディスプレイなどの表示パネルに交流波形が印加されることにより、あるいは、表示パネルの駆動電源を昇圧する昇圧回路のスイッチング動作のオン／オフによって発生することとなる。
【０００４】
特にこの問題は、腕時計形状を有する携帯型情報機器などのように、機器が小型で液晶ディスプレイや有機ＥＬ発光ディスプレイなどの表示部と非接触ＩＣカード回路のアンテナを離間して配置することが困難な携帯型情報機器において顕著に発生すると考えられる。
そこで、本発明の目的は、表示部と非接触ＩＣカード回路のアンテナとを装置サイズの関係で離間して配置することが出来ない場合であっても、非接触ＩＣカード回路の通信感度の劣化、通信距離の短縮化および通信エラーの発生を抑制することが可能な携帯型情報機器、携帯型情報機器の制御方法、携帯型情報機器の制御用プログラムを記録した記録媒体および携帯型情報機器の制御用のプログラムを提供することにある。
【０００５】
【課題を解決するための手段】
上記課題を解決するため、本発明の構成は、アンテナを介して外部装置との間で無線通信を行うことが可能な無線通信部と、ディジタル制御により各種情報を表示する表示部と、前記無線通信部において、データ通信期間中、前記表示部における表示を禁止する表示禁止部と、を備えたことを特徴としている。
またアンテナを介して外部装置との間で無線通信を行うことが可能な無線通信部と、ディジタル制御により各種情報を表示する表示部と、前記無線通信部において、無線通信開始信号を受信した場合に、前記無線通信開始信号に対応するデータ通信期間中、前記表示部における表示を禁止する表示禁止部と、を備えたことを特徴としている。
上記構成によれば、無線通信部はアンテナを介して外部装置との間で無線通信を行い、表示部はディジタル制御により各種情報を表示する。
そして、表示禁止部は、無線通信部においてデータ通信期間中、表示部における表示を禁止する。
【０００６】
またアンテナを介して外部装置との間で無線通信を行うことが可能な無線通信部と、ディジタル制御により各種情報を表示する表示部と、前記無線通信部において、無線通信開始信号を受信した場合に、前記無線通信開始信号に対応するデータ通信期間中、前記表示部における表示を禁止する表示禁止部と、を備えたことを特徴としている。
上記構成によれば、無線通信部はアンテナを介して外部装置との間で無線通信を行い、表示部はディジタル制御により各種情報を表示する。
表示禁止部は、前記無線通信部において無線通信開始信号を受信した場合に、前記無線通信開始信号に対応するデータ通信期間中、前記表示部における表示を禁止する。
【０００７】
この場合において、前記無線通信部における前記データ通信と前記表示部における表示とを交互に行わせる制御部を備えるようにしてもよい。
【０００８】
また、前記表示部は、実際に表示を行う表示パネル部と、前記表示パネル部を駆動する表示駆動部と、を備え、前記表示禁止部は、前記表示部における表示を禁止するに際し、前記表示駆動部の動作を停止する、ようにしてもよい。
【０００９】
さらに前記表示部は、実際に表示を行う表示パネル部と、外部からの表示制御信号に基づいて前記表示パネル部を駆動する表示駆動部と、を備え、前記表示禁止部は、前記表示部における表示を禁止するに際し、前記表示制御信号の入力を禁止する、ようにしてもよい。この場合に、前記アンテナは、前記無線通信部を構成し、前記無線通信を行う回路が搭載された回路基板の前記表示パネル部側に設けられているようにしてもよい。
【００１０】
さらにまた、前記無線通信部は、外部装置との間で双方向無線通信を行うようにしてもよい。
【００１１】
また、計時処理を行う計時処理部と電源を供給する電池とを備え、前記表示部は、前記計時処理部の制御下で前記電池から電源供給により常時時計表示を行うように構成しても良い。
さらに、ユーザの腕に装着可能な腕時計形状を有しているようにしてもよい。
【００１２】
さらにまた、表示部の背面側あるいは前面側に配置され、表示部の照明を行う照明部と、無線通信部においてデータ通信期間中、照明部による照明を禁止する照明禁止部と、備えるようにしてもよい。この場合において、照明部は、ＥＬ照明装置を有するようにしてもよい。
【００１３】
また、アンテナを介して外部装置との間で無線通信を行うことが可能な無線通信部と、ディジタル制御により各種情報を表示する表示部と、を備えた携帯型情報機器の制御方法において、前記無線通信部において、データ通信を行っている期間中、前記表示部における表示を禁止することを特徴としている。
上記構成によれば、無線通信部において、データ通信を行っている期間中、表示部における表示を禁止する。
【００１４】
また、アンテナを介して外部装置との間で無線通信を行うことが可能な無線通信部と、ディジタル制御により各種情報を表示する表示部と、を備えた携帯型情報機器の制御方法において、前記無線通信部において無線通信開始信号を受信した場合に、前記無線通信開始信号に対応するデータ通信期間中、前記表示部における表示を禁止することを特徴としている。
上記構成によれば、無線通信部において無線通信開始信号を受信した場合に、無線通信開始信号に対応するデータ通信期間中、表示部における表示を禁止する。
【００１５】
これらの場合において、前記データ通信と前記表示とを交互に行わせるようにしてもよい。
また、前記表示部における表示を禁止するに際し、表示駆動動作を停止させるようにしてもよい。
さらに前記表示部における表示を禁止するに際し、前記表示部に対する外部からの表示制御信号の入力を禁止するようにしてもよい。
さらにまた、無線通信部においてデータ通信期間中、表示部の照明を禁止するようにしてもよい。
【００１６】
また、アンテナを介して外部装置との間で無線通信を行うことが可能な無線通信部と、ディジタル制御により各種情報を表示する表示部と、を備えた携帯型情報機器を制御するためのプログラムを記録した記録媒体において、前記無線通信部においてデータ通信を行っているか否かをコンピュータに判別させ、前記無線通信部においてデータ通信を行っている期間中、前記表示部における表示を禁止させるためのプログラムを記録したことを特徴としている。
【００１７】
また、アンテナを介して外部装置との間で無線通信を行うことが可能な無線通信部と、ディジタル制御により各種情報を表示する表示部と、を備えた携帯型情報機器を制御するためのプログラムを記録した記録媒体において、前記無線通信部において無線通信開始信号を受信したか否かをコンピュータに判別させ、前記無線通信部において、無線通信開始信号を受信した場合に前記無線通信開始信号に対応するデータ通信期間中、前記表示部における表示を禁止させるためのプログラムを記録したことを特徴としている。
【００１８】
また、アンテナを介して外部装置との間で無線通信を行うことが可能な無線通信部と、ディジタル制御により各種情報を表示する表示部と、を備えた携帯型情報機器を制御するためのプログラムであって、前記無線通信部においてデータ通信を行っているか否かをコンピュータに判別させ、前記無線通信部においてデータ通信を行っている期間中、前記表示部における表示を禁止させる、ことを特徴としている。
【００１９】
また、アンテナを介して外部装置との間で無線通信を行うことが可能な無線通信部と、ディジタル制御により各種情報を表示する表示部と、を備えた携帯型情報機器を制御するためのプログラムであって、前記無線通信部において無線通信開始信号を受信したか否かをコンピュータに判別させ、前記無線通信部において、無線通信開始信号を受信した場合に前記無線通信開始信号に対応するデータ通信期間中、前記表示部における表示を禁止させる、ことを特徴としている。
【００２０】
【発明の実施の形態】
次に本発明の好適な実施形態について図面を参照して説明する。
［１］第１実施形態
まず、本発明の第１実施形態について説明する。
［１．１］データ通信システムの構成
まず、図１を参照してデータ通信システムの概要構成について説明する。以下の説明においては、データ通信システムとして、入退場管理を行うためのデータ通信システムについて説明する。
データ通信システム１０は、大別すると、非接触ＩＣカード機能を内蔵する腕時計１１と、腕時計１１との間でデータ通信を行う外部送受信装置１２と、を備えて構成されている。
外部送受信装置１２は、外部送受信装置１２全体を制御する制御装置１３と、制御装置１３の制御下で送信制御信号を生成し出力する送信回路１４と、後述の高周波回路１６から入力される受信信号を復調して受信データとして制御装置１３に出力する受信回路１５と、送信制御信号に基づいて送信信号を生成してアンテナ１７を介して腕時計１１に送信するとともに、アンテナ１７を介して腕時計１１から受信した原受信信号から受信信号を生成して受信回路１５に出力する高周波（ＲＦ）回路１６と、を備えて構成されている。
【００２１】
［１．２］外部送受信装置の配置
図２に外部送受信装置１２を入退場を容易に管理するためのゲートに設置した場合のゲートの外観斜視図を示す。
図２に示すように、ゲートＧ内には、外部送受信装置１２が設置され、ゲートＧの一部に、データ通信を行うためのループアンテナとして形成されたアンテナ１７が内蔵、配置され、ゲートＧを通過する際にＩＣカード機能を有する腕時計１１をユーザが近づけることにより、双方向データ通信を行うように構成されている。
この場合において、搬送波（キャリア信号）の周波数としては、一般的に１３．５６［ＭＨｚ］や１２５［ｋＨｚ］が使用されており、その出力が制限された微弱無線通信であるため通信距離は数センチ程度であり、双方向データ通信を行う場合には、ユーザは時計１１をアンテナ１７に近接させる必要がある。
【００２２】
［１．３］腕時計の概要構成
図３に腕時計型情報機器の概要構成ブロック図を示す。
腕時計１１は、アンテナ２１と、切換回路２２と、受信回路２３と、送信回路２４と、中央制御回路２５と、を備えて構成されている。
切換回路２２は、アンテナ２１を受信回路２３と送信回路２４との間で接続切換する。
受信回路２３は、アンテナ２１を介して受信した外部送受信装置１２からの信号を後述の送信回路からの発振信号ＳＶＣＯに基づいて復調して受信データＤＲＸとして中央制御回路２５に出力する。
送信回路２４は、中央制御回路２５から入力されたシンセイサイザ制御信号ＳＳＹに基づいて中央制御回路２５から入力された送信データＤＴＸを変調してアンテナ２１を介して外部送受信装置１２へ送信する。
中央制御回路２５は、腕時計１１全体を制御する。
【００２３】
さらに腕時計１１は、鳴音部２６と、駆動回路２６Ｄと、振動報知部２７と、駆動回路２７Ｄと、発光報知部２８と、駆動回路２８Ｄと、表示部２９と、駆動回路２９Ｄと、外部操作入力部３０と、発振子３１と、基準信号作成回路３２と、不揮発性メモリ３３と、電池３４と、を備えて構成されている。
鳴音部２６は、中央制御回路２５の制御下で駆動回路２６Ｄにより駆動され、ブザーや電子音により各種状態をユーザに告知する。
振動報知部２７は、中央制御回路２５の制御下で駆動回路２７Ｄにより駆動され、振動により各種状態をユーザに告知する。
発光報知部２８は、ＬＥＤなどの発光素子を備え、中央制御回路２５の制御下で駆動回路２８Ｄにより駆動されて光により各種状態をユーザに告知する。
表示部２９は、液晶ディスプレイパネルなどで構成され、中央制御回路２５の制御下で駆動回路２９Ｄにより駆動されて各種情報を表示する。
外部操作部は、ボタン、タッチパネルなどにより構成され、ユーザが各種操作を行う。
基準信号作成回路３２は、発振子３１が生成した源発振信号に基づいて各種基準信号を作成し出力する。
不揮発性メモリ３３は、各種データを不揮発状態で記憶する。
電池３４は、腕時計型情報機器１２に電源を供給する。
【００２４】
この場合において、腕時計１１の電源は、通常は電池３４から供給されるが、外部送受信装置１２との間でデータ通信を行っている場合には、一般的な非接触ＩＣカードと同様に外部送受信装置１２から送信される搬送波（キャリア信号）を整流して駆動電源とすることも可能である。
また、中央制御回路２５には、必要に応じてデータを暗号化する暗号化回路を内蔵することも可能である。
さらに不揮発性メモリ３３は、ＥＥＰＲＯＭやフラッシュメモリなどで構成され、当該腕時計１１固有のＩＤ番号および受信データなどの各種データが記憶されている。
【００２５】
［１．４］受信回路および送信回路の構成
ところで、上述したアンテナ２１、切換回路２２、受信回路２３および送信回路２４は、外部送受信装置１２における送信回路１４、受信回路１５、高周波回路１６およびアンテナ１７と同等の機能を実現するものである。
そこで、アンテナ２１、切換回路２２、受信回路２３および送信回路２４についてより詳細に説明する。
図４にアンテナ、切換回路、受信回路および送信回路の概要構成ブロック図を示す。
アンテナ２１は、アンテナ本体２１Ａと、アンテナフィルタ２１Ｂと、を備えて構成されている。
アンテナフィルタ２１Ｂは、アンテナ２１から入力される信号あるいはアンテナ２１へ出力される信号のうち、不要な成分を除去する。
受信回路２３は、ＲＦアンプ２３Ａと、バッファアンプ２３Ｂと、ミキサ２３Ｃと、バンドパスフィルタ２３Ｄと、ＩＦアンプ２３Ｅと、復調回路２３Ｆと、ベースバンドアンプ２３Ｇと、検波回路２３Ｈと、を備えて構成されている。
【００２６】
ＲＦアンプ２３Ａは、アンテナ２１から入力された信号の高周波増幅を行ってミキサ２３Ｃに出力する。
バッファアンプ２３Ｂは、発振信号ＳＶＣＯの増幅を行いミキサ２３Ｃに出力する。
ミキサ２３Ｃは、ＲＦアンプ２３Ａの出力信号に増幅された発振信号ＳＶＣＯを混合してバンドパスフィルタ２３Ｄに出力する。
バンドパスフィルタ２３Ｄは、ミキサ２３Ｃの出力信号のうち、所望の周波数帯域の信号のみを通過させ、ＩＦアンプ２３Ｅに出力する。
ＩＦアンプ２３Ｅは、バンドパスフィルタ２３Ｄの出力信号の中間周波増幅を行い、ベースバンドアンプ２３Ｇに出力する。
復調回路２３Ｆは、ＩＦアンプ２３Ｅの出力信号を復調して、ベースバンドアンプ２３Ｇに出力する。
ベースバンドアンプ２３Ｇは、復調回路２３Ｆの出力信号のベースバンド増幅を行い検波回路２３Ｈに出力する。
【００２７】
検波回路２３Ｈは、ベースバンドアンプ２３Ｇの出力信号の検波を行って受信データＤＲＸとして中央制御回路２５に出力する。
送信回路２４は、ＰＬＬ回路２４Ａと、ローパスフィルタ２４Ｂと、ＩＦアンプ２４Ｃと、ローパスフィルタ２４Ｄと、電圧制御発振器（ＶＣＯ）２４Ｅと、パワーアンプ２４Ｆと、を備えて構成されている。
ＰＬＬ回路２４Ａは、中央制御回路２５からのシンセイサイザ制御信号ＳＳＹに基づいて所定周波数のキャリア信号を生成してローパスフィルタ２４Ｂに出力する。
ローパスフィルタ２４Ｂは、ＰＬＬ回路２４Ａの出力したキャリア信号の低域成分のみを通過させて電圧制御発振器２４Ｅに出力する。
ＩＦアンプ２４Ｃは、中央制御回路２５からの送信データＤＴＸの中間周波増幅を行ってローパスフィルタ２４Ｄに出力する。
【００２８】
ローパスフィルタ２４Ｄは、ＩＦアンプ２４Ｃの出力信号の低域成分のみを通過させて電圧制御発振器２４Ｅに出力する。
電圧制御発振器２４Ｅは、ローパスフィルタ２４Ｂの出力信号およびローパスフィルタ２４Ｄの出力信号に基づいて送信データＤＴＸの変調を行ってパワーアンプ２４Ｆに出力する。
パワーアンプ２４Ｆは、電圧制御発振器２４Ｅの出力信号を増幅して切換回路２２およびアンテナ２１を介して送信信号として出力する。
【００２９】
［１．５］表示部周辺の構成
図５に表示部周辺の構成を示す。図５（ａ）は表示部周辺構成の正面図、図５（ｂ）は表示部周辺構成の側面図である。
表示部周辺には、導通端子２９Ｂにより回路基板４０と接続され、表示部を構成する液晶表示パネル２９Ａと、液晶表示パネル２９Ａを裏面側から照明するＥＬ（electro luminescent）シート２９Ｃと、回路基板４０上に液晶表示パネル２９Ａを囲むようにループアンテナとして形成され、配置されたアンテナ２１と、受信回路２３、送信回路２４、中央制御回路２５および駆動回路２６Ｄ、２７Ｄ、２８Ｄ、１９Ｄ、不揮発性メモリ３３等を内蔵したＩＣ４１と、回路基板４０の裏面側に配置された電池３４と、が配置されている。
この場合において、回路基板４０上に液晶表示パネル２９Ａを囲むようにアンテナ２１を配置しているのは、ループアンテナは開口面積が大きいほどアンテナゲインが向上するため、より腕時計１１の外周部側に形成するのが好ましいからである。
【００３０】
さらに上述したように、通信距離が短いため、アンテナ２１は、回路基板４０に対して時計の文字板側、すなわち、液晶表示パネル２９Ａが配置されている側（以下、便宜上、文字板側と称する。）に配置されるのが好ましく、液晶表示パネル２９Ａとアンテナ２１とは、近接配置されることとなっている。
ここで、ループアンテナのターン数は、１３．５６［ＭＨｚ］の短波帯の周波数を通信に使った場合は、数ターン程度、１２５［ｋＨｚ］や１３４［ｋＨｚ］の長波帯を使った場合は数十ターンとなる。
長波帯を使用した場合のようにターン数を数十ターンとする場合は回路基板４０上に銅箔パターンでループアンテナを構成するのは面積上困難であるので、図６（ａ）および図６（ｂ）にアンテナ２１Ａとして示すように、銅線などを巻いてループアンテナを立体的に構成する。
【００３１】
［１．６］第１実施形態の動作
次に第１実施形態の動作について説明する。
まず、概要動作について図７のタイミングチャートを参照して説明する。
外部送受信装置１２は、所定タイミング毎にポーリング信号（通信要求）を送信しており（ステップＳ１０１）、通信圏内に腕時計１１が入った場合には、腕時計１１は、表示を停止するとともに、通信を開始し、相互認証のためのデータを外部送受信装置１２に送信する（ステップＳ１０２）。
これにより相互認証期間に移行し、外部送受信装置１２は、自己の通信圏内に腕時計１１が入ったことを検出し、相互認証のためのデータを腕時計１１に送信する（ステップＳ１０３）。
外部送受信装置１２から相互認証のためのデータを受信した腕時計１１は、相互認証が完了した旨の応答データを外部送受信装置１２に送信する（ステップＳ１０４）。
【００３２】
この結果、読み込み期間に移行し、外部送受信装置１２は、腕時計１１からデータを読み込むべく、読込要求データを送信する（ステップＳ１０５）。
これにより、腕時計１１は、読み込み要求データに対応する不揮発性メモリのメモリアドレスから対応するデータを読み出し、外部送受信装置１２に送信する（ステップＳ１０６）。
この結果、外部送受信装置１２は、判定期間に移行し、送られたデータから乗車券、プリペイドカードなどのデータ種類や有効期間などを認識し、判定する（ステップＳ１０７）。
そして、外部送受信装置１２は、書き込み期間に移行し、残高データなどの更新が必要なデータを腕時計１１に送信する（ステップＳ１０８）。
これにより腕時計１１は、データを受信した旨に相当する応答データを外部送受信装置１２に送信する（ステップＳ１０９）。
【００３３】
これにより、通信は完了し、腕時計１１は、内部処理期間に移行し、不揮発性メモリの対応するメモリアドレスに書き込みを行い、外部送受信装置１２は、腕時計１１に対するデータの送信が完了したことを確認し、次のポーリング処理に備えることとなる（ステップＳ１１０）。
この場合において、相互認証期間、読み込み期間、判定期間、書き込み期間および内部処理期間において、腕時計１１の表示は停止されたままである。
図８により具体的な処理フローチャートを示す。
この場合において、腕時計１１は、自発的に信号送信を開始するわけではなく、外部送受信装置１２からポーリング信号を受信して初めて返信のための送信を行うように構成されているものとする。
ユーザがゲートＧ（図２参照）を通過するに際し、腕時計１１の文字板側をループアンテナ１７に近接させる（ステップＳ１）。
一方、腕時計１１は、所定タイミング毎に外部送受信装置１２のアンテナ１７から調歩同期プロトコルにより送信されているポーリング信号を受信したか否かを判別している（ステップＳ２）。
【００３４】
より具体的には、外部送受信装置１２の制御装置１３は、送信回路１４にポーリング信号を生成させ、高周波回路１６およびアンテナ１７を介してポーリング信号を送信し続けている。
一方、腕時計１１は、アンテナ２１のアンテナ本体２１Ａ、アンテナフィルタ２１Ｂおよび切換回路２２を介してポーリング信号が受信回路２３に入力される。
受信回路２３のＲＦアンプ２３Ａは、アンテナ２１から入力された信号の高周波増幅を行ってミキサ２３Ｃに出力する。
一方、バッファアンプ２３Ｂは、発振信号ＳＶＣＯの増幅を行ってミキサ２３Ｃ出力する。
これらの結果、ミキサ２３Ｃは、ＲＦアンプ２３Ａの出力信号に増幅された発振信号ＳＶＣＯを混合してバンドパスフィルタ２３Ｄに出力し、バンドパスフィルタ２３Ｄは、ミキサ２３Ｃの出力信号のうち、所望の周波数帯域の信号のみを通過させてＩＦアンプ２３Ｅに出力する。
【００３５】
ＩＦアンプ２３Ｅは、バンドパスフィルタ２３Ｄの出力信号の中間周波増幅を行って復調回路２３Ｆに出力し、復調回路２３Ｆは、ＩＦアンプ２３Ｅの出力信号を復調してベースバンドアンプ２３Ｇに出力する。
ベースバンドアンプ２３Ｇは、復調回路２３Ｆの出力信号のベースバンド増幅を行って検波回路２３Ｈに出力する。
これにより検波回路２３Ｈは、ベースバンドアンプ２３Ｇの出力信号の検波を行ってポーリング信号に対応する受信データＤＲＸとして中央制御回路２５に出力する。
この結果、中央制御回路２５は、ポーリング信号を受信したと判別できることになる。
上述した手順により、ステップＳ２の判別において、ポーリング信号を受信しなかった場合には（ステップＳ２；Ｎｏ）、待機状態となり、液晶表示パネル２９Ａには、時刻表示がなされている。
図９に液晶表示パネル２９Ａをスタティック駆動する場合の駆動信号例を示す。
より詳細には、図９に示すように、時刻ｔ１に至るまでは、制御信号Ｓは“Ｌ”レベルであり、駆動回路２９Ｄから出力される共通電極の電圧波形は、０［Ｖ］と＋Ｅ［Ｖ］の間で遷移する矩形パルス波形となっている。
【００３６】
また、セグメント電極の電圧波形は、同様に０［Ｖ］と＋Ｅ［Ｖ］の間で遷移する矩形パルス波形となっており、その位相は共通電極の電圧波形と１８０［゜］ずれている。
すなわち、スタティック駆動の場合、液晶表示パネル２９Ａの共通電極−セグメント電極間に印加される電位差が所定の電位差以上である場合にセグメントは点灯される。この場合において、液晶は直流電圧を印加し続けると電気化学反動が起きて特性が劣化してしまうため図９に示すように交流波形が印加されているのである。しかしながら、交流波形を印加しているため、液晶表示パネル２９Ａの充放電電流や駆動回路２９Ｄに内蔵される昇圧回路から電磁ノイズが発生し、このノイズがデータ通信を並行して行った場合には悪影響を与えることとなるのである。
【００３７】
上述したように、共通電極の電圧波形の位相と、セグメント電極の電圧波形の位相とは、１８０［゜］ずれているので、時刻ｔ１に至るまでは、共通電極とセグメント電極との間に印加される電圧の電圧波形は、−Ｅ［Ｖ］と＋Ｅ［Ｖ］の間で遷移する矩形パルス波形となっており、液晶表示パネル２９Ａのセグメントは点灯して、時刻表示がなされることとなる。
また、ステップＳ２の判別において、ポーリング信号を受信した場合には（ステップＳ２；Ｙｅｓ）、中央制御回路２５は、駆動回路２９Ｄに出力している制御信号Ｓを“Ｌ”レベルとし、時計表示を停止させる（ステップＳ３）。
より詳細には、図９に示すように、時刻ｔ１に至った後は、制御信号Ｓは“Ｈ”レベルとなり、駆動回路２９Ｄから出力される共通電極の電圧波形は、０［Ｖ］となっている。
【００３８】
また、セグメント電極の電圧波形も、同様に０［Ｖ］となっており、この結果、時刻ｔ１に至った移行は、共通電極とセグメント電極との間に印加される電圧の電位差がなくなり、０［Ｖ］に固定される。
この結果、液晶表示パネル２９Ａには、時刻表示がなされなくなる。
続いて外部送受信装置１２と腕時計１１とは、相互認証を行い、外部送受信装置１２は腕時計１１のＩＤ番号ＮＩＤを確認する（ステップＳ４）。
より具体的には、外部送受信装置１２の制御装置１３は、腕時計１１のＩＤ番号ＮＩＤを送信するように腕時計１１に依頼することとなる。
すなわち、外部送受信装置１２の制御装置１３は、送信回路１４、高周波回路１６およびアンテナ１７を介して、送信信号としてＩＤ情報要求信号を腕時計１１に送信することとなる。
一方、腕時計１１は、アンテナ２１のアンテナ本体２１Ａ、アンテナフィルタ２１Ｂおよび切換回路２２を介してＩＤ情報要求信号が受信回路２３に入力される。
これにより受信回路２３のＲＦアンプ２３Ａは、アンテナ２１から入力された信号の高周波増幅を行ってミキサ２３Ｃに出力する。
【００３９】
一方、バッファアンプ２３Ｂは、発振信号ＳＶＣＯの増幅を行ってミキサ２３Ｃ出力する。
これらの結果、ミキサ２３Ｃは、ＲＦアンプ２３Ａの出力信号に増幅された発振信号ＳＶＣＯを混合してバンドパスフィルタ２３Ｄに出力し、バンドパスフィルタ２３Ｄは、ミキサ２３Ｃの出力信号のうち、所望の周波数帯域の信号のみを通過させてＩＦアンプ２３Ｅに出力する。
ＩＦアンプ２３Ｅは、バンドパスフィルタ２３Ｄの出力信号の中間周波増幅を行って復調回路２３Ｆに出力し、復調回路２３Ｆは、ＩＦアンプ２３Ｅの出力信号を復調してベースバンドアンプ２３Ｇに出力する。
ベースバンドアンプ２３Ｇは、復調回路２３Ｆの出力信号のベースバンド増幅を行って検波回路２３Ｈに出力する。
これにより検波回路２３Ｈは、ベースバンドアンプ２３Ｇの出力信号の検波を行ってＩＤ情報要求信号に対応する受信データＤＲＸとして出力中央制御回路２５に出力する。
【００４０】
この結果、中央制御回路２５は、不揮発性メモリ３３からＩＤ番号ＮＩＤを読み出し、ＩＤ番号ＮＩＤに対応する送信データＤＴＸをＩＦアンプ２４Ｃに出力する。ＩＦアンプ２４Ｃは、送信データＤＴＸの中間周波増幅を行い、ローパスフィルタ２４Ｄに出力する。ローパスフィルタ２４Ｄは、ＩＦアンプ２４Ｃの出力信号の低域成分のみを通過させ電圧制御発振器２４Ｅに出力する。
また、中央制御回路２５は、シンセイサイザ制御信号ＳＳＹをＰＬＬ回路２４Ａに出力する。ＰＬＬ回路２４Ａは、シンセイサイザ制御信号ＳＳＹに基づいて所定周波数のキャリア信号を生成してローパスフィルタ２４Ｂに出力する。ローパスフィルタ２４Ｂは、ＰＬＬ回路２４Ａの出力したキャリア信号の低域成分のみを通過させ、電圧制御発振器２４Ｅに出力する。
これらの結果、電圧制御発信器２４Ｅは、ローパスフィルタ２４Ｂの出力信号およびローパスフィルタ２４Ｄの出力信号に基づいて送信データＤＴＸの変調を行い、パワーアンプ２４Ｆに出力する。
パワーアンプ２４Ｆは、電圧制御発振器２４Ｅの出力信号を増幅して切換回路２２およびアンテナ２１を介して送信信号としてＩＤ番号ＮＩＤに対応する応答信号を外部送受信装置１２に送信することとなる。
【００４１】
これらの結果、腕時計ＩＤが外部送受信装置１２側で確認されると、入退場者確認に要する実際のデータの送受信を上述した場合と同様の手順で行うこととなる（ステップＳ５）。
そしてデータ送受信が完了すると、中央制御回路２５は、入退場に際し、必要なフラグの変更やプリペイド料金の精算処理後のデータを不揮発性メモリ３３に書き込むこととなる（ステップＳ６）。
そして、データ書き込みが終了すると、中央制御回路２５は、再び制御信号Ｓを“Ｈ”レベルとして液晶ディスプレイパネル２９Ａを点灯状態とする（ステップＳ７）。
上述したように液晶ディスプレイパネル２９Ａが消灯状態にあり、時計表示が停止していた場合であっても、中央制御回路２５は、計時動作を継続しており、直ちに正確な時刻が表示されることとなる。
上述の例として挙げた入退場管理システムの場合、ポーリング信号受信から腕時計の不揮発性メモリへのデータ書き込みまでの一連のデータ通信処理の要する時間は、およそ２００［ｍｓｅｃ］以内であり、実用上支障が生じることはない。
【００４２】
［１．７］第１実施形態の効果
以上の説明のように、本実施形態によれば、データ通信を行っているタイミングでは、表示部における表示を停止しているので、表示部からでるノイズによりデータ通信が影響を受けることがなく、非接触ＩＣカード回路の通信感度の劣化、通信距離の短縮化および通信エラーの発生を抑制することが可能となる。
【００４３】
［２］第２実施形態
次に本発明の第２実施形態について説明する。
本第２実施形態においては、データ通信システムの構成については、第１実施形態と同様であるので、腕時計の構成を主として説明する。
［２．１］腕時計の概要構成
図１０に腕時計型情報機器の概要構成ブロック図を示す。
腕時計７０は、アンテナ７１と、電源回路７２と、キャリア検出回路７３と、ＡＳＫ（Amplitude Shift  keying）復調回路７４と、ＡＳＫ変調回路７５と、クロック生成回路７６と、ＩＣカード制御回路７７と、不揮発性メモリ７８と、を備えている。
ここで、ＡＳＫ（Amplitude Shift  keying）復調回路７４、ＡＳＫ変調回路７５、クロック生成回路７６、ＩＣカード制御回路７７および不揮発性メモリ７８は、ＩＣカード部７９を構成している。
電源回路７２は、受信した電波による電流を整流してＩＣカード部７９の送受信動作時の駆動電源として供給する。
キャリア検出回路７３は、外部からの電波として所定の周波数を有するキャリア信号が検出されたか否か、すなわち、当該腕時計７０に対する送信がなされているか否かを検出する。
【００４４】
ＡＳＫ復調回路７４は、外部から受信した信号を復調して受信データＤＲＸとして出力する。
ＡＳＫ変調回路７５は、送信データＤＴＸを振幅変調して送信信号として出力する。
クロック生成回路７６は、受信した電波のキャリア信号の周波数から高周波クロック信号を作成して出力する。
ＩＣカード制御回路７７は、ＩＣカード部７９全体の制御を行うとともに、暗号化および復号化を行う暗号処理回路７７Ａを備え、暗号化されている受信データの復号化および送信するデータの暗号化を行う。
不揮発性メモリ７８は、各種データを不揮発的に記憶する。この場合において、セキュリティを確保するため、金銭的価値を有するデータ（いわゆるバリュー）や重要なデータについては、暗号化したまま保存し、処理時においてのみ暗号処理回路７７Ａにおいて復号化されるようになっている。
さらに腕時計７０は、鳴音部２６と、駆動回路２６Ｄと、振動報知部２７と、駆動回路２７Ｄと、発光報知部２８と、駆動回路２８Ｄと、表示部２９と、駆動回路２９Ｄと、外部操作入力部３０と、発振子３０と、基準信号作成回路３２と、電池３４と、時計用制御回路３５と、を備えて構成されている。
【００４５】
ここで、駆動回路２６Ｄ、駆動回路２７Ｄ、駆動回路２８Ｄ、駆動回路２９Ｄ基準信号作成回路３２および時計用制御回路３５は、報知／計時制御部８０を構成している。
鳴音部２６は、時計用制御回路３５の制御下で駆動回路２６Ｄにより駆動され、ブザーや電子音により各種状態をユーザに告知する、
振動報知部２７は、時計用制御回路３５の制御下で駆動回路２７Ｄにより駆動され、振動により各種状態をユーザに告知する。
発光報知部２８は、時計用制御回路３５の制御下で駆動回路２８Ｄにより駆動され光により各種状態をユーザに告知する。
表示部２９は、時計用制御回路３５の制御下で駆動回路２９Ｄにより駆動され、各種情報を表示する。
外部操作入力部３０は、ユーザが各種操作を行い、操作状態を時計用制御回路に通知する。
基準信号作成回路３２は、発振子３１により生成された発振信号に基づいて各種基準信号を作成し時計用制御回路３５に出力する。
電池３４は、報知／計時制御部８０、鳴音部２６、振動報知部２７、発光報知部２８、表示部２９および外部操作入力部３０に駆動用の電源を供給する。
【００４６】
［２．２］第２実施形態の動作
次に第２実施形態の動作について説明する。概要動作については、第１実施形態と同様であるので、具体的な処理について再び図８を参照して説明する。
この場合において、腕時計７０のＩＣカード部７９には、通常電源が供給されていないので、外部送受信装置１２からポーリング信号を受信して初めて電源回路７２から電源が供給され、送信を開始するように構成されている。
ユーザがゲートＧ（図２参照）を通過するに際し、腕時計７０の文字板側をループアンテナ１７に近接させる（ステップＳ１）。
このとき、時計用制御回路３５は、キャリア検出回路７３によりキャリア信号が検出されたか否かにより、外部送受信装置１２のアンテナ１７から調歩同期プロトコルにより送信されているポーリング信号を受信したか否かを判別している（ステップＳ２）。
ステップＳ２の判別において、ポーリング信号を受信しなかった場合には（ステップＳ２；Ｎｏ）、待機状態となり、液晶表示パネル２９Ａには、時刻表示がなされている。
【００４７】
また、ステップＳ２の判別において、ポーリング信号を受信した場合には（ステップＳ２；Ｙｅｓ）、中央制御回路２５は、駆動回路２９Ｄに出力している制御信号Ｓを“Ｌ”レベルとし、時計表示を停止させる（ステップＳ３）。
この結果、液晶表示パネル２９Ａには、時刻表示がなされなくなる。
一方、外部送受信装置１２と腕時計１１とは、相互認証を行い、外部送受信装置１２は腕時計１１のＩＤ番号ＮＩＤを確認する（ステップＳ４）。
より具体的には、外部送受信装置１２の制御装置１３は、腕時計１１のＩＤ番号ＮＩＤを送信するように腕時計１１に依頼することとなる。
すなわち、外部送受信装置１２の制御装置１３は、送信回路１４、高周波回路１６およびアンテナ１７を介して、送信信号としてＩＤ情報要求信号を腕時計１１に送信することとなる。
一方、電源回路７２は、受信した電波の電力により流れる交流電流を整流し、ＩＣカード部７９に供給する。
これによりＡＳＫ復調回路７４は、ＩＤ情報要求信号を復調し、対応する受信データＤＲＸをＩＣカード制御回路７７に出力する。
この結果、ＩＣカード制御回路７７は、不揮発性メモリ７８からＩＤ番号ＮＩＤを読み出し、ＩＤ番号ＮＩＤに対応する送信データＤＴＸをＡＳＫ変調回路７５に出力する。ＡＳＫ変調回路７５は、送信データＤＴＸの振幅変調を行いアンテナ７１を介して送信信号としてＩＤ番号ＮＩＤに対応する応答信号を外部送受信装置１２に送信することとなる。
【００４８】
これらの結果、腕時計ＩＤが外部送受信装置１２側で確認されると、入退場者確認に要する実際のデータの送受信を上述した場合と同様の手順で行うこととなる（ステップＳ５）。
そしてデータ送受信が完了すると、中央制御回路２５は、入退場に際し、必要なフラグの変更やプリペイド料金の精算処理後のデータを不揮発性メモリ７８に書き込むこととなる（ステップＳ６）。
そして、データ書き込みが終了すると、ＩＣカード制御回路７７は、待機状態となる。
一方、データの送受信が完了すると、キャリア検出回路７３によりキャリア信号が検出されなくなるので、時計用制御回路３５は、再び制御信号Ｓを“Ｈ”レベルとして液晶ディスプレイパネル２９Ａを点灯状態とする（ステップＳ７）。
そして、必要に応じて時計用制御回路３５は、電源およびクロック信号ＣＬＫをＩＣカード部７９に供給し、不揮発性メモリ７８から暗号処理回路７７Ａを含むＩＣカード制御回路７７を介してデータの送受信に伴って更新されたデータを読み出し、時計用制御回路３５内の図示しないＲＡＭに格納する。
そして読み出したデータに基づいて駆動回路２９Ｄを制御し、表示部２９に更新後のデータを表示することとなる。
【００４９】
［２．３］第２実施形態の効果
以上の説明のように、本第２実施形態によっても、データ通信を行っているタイミングでは、表示部における表示を停止しているので、表示部からでるノイズによりデータ通信が影響を受けることがなく、非接触ＩＣカード回路の通信感度の劣化、通信距離の短縮化および通信エラーの発生を抑制することが可能となる。
また、ＩＣカード部におけるデータ送受信は、外部外部送受信装置１２から送信される電波の電力を用いて行うので、消費電力を低減して腕時計全体の動作寿命を延ばすことが可能となる。
【００５０】
［２．４］第２実施形態の変形例
［２．４．１］第１変形例
以上の説明においては、ＩＣカード部７９がデータの送受信を行っていることをキャリア検出回路７３を介して検出し、表示部において更新されたデータを表示する構成を採っていたが、外部操作入力部３０に設けられたデータ表示ボタンの操作を行った場合にのみ、電源をＩＣカード部７９に供給し、不揮発性メモリ７８からデータを読み出して表示を行う構成とすることも可能である。
【００５１】
［２．４．２］第２変形例
以上の説明においては、ＩＣカード部７９がデータの送受信を行っていることをキャリア検出回路７３を介して検出する構成を採っていたが、ＩＣカード制御回路７７が動作を開始したことをＩＣカード制御回路７７および時計用制御回路３５間を接続している入出力端子（Ｉ／Ｏ）の所定信号ラインの電圧レベルにより判定し、表示を停止する構成とすれば、キャリア検出回路７３を設ける必要が無くなり、回路構成を簡略化することができる。この場合においても、外部操作入力部３０に設けられたデータ表示ボタンの操作を行った場合にのみ、電源をＩＣカード部７９に供給し、不揮発性メモリ７８からデータを読み出して表示を行うようにすればよい。
【００５２】
［３］実施形態の変形例
［３．１］第１変形例
上記の説明のように、本実施形態では、腕時計１１を腕にはめたままデータ通信を行っているので、腕時計１１の表示が消えるタイミングでは、ユーザは表示部２９をみることはできず、ユーザが不具合を感じることはない。このため時刻表示の再開をデータの不揮発性メモリへの書き込み終了後としていた。
しかしながら、通信データ量が多く、送受信時間が長くなるようなシステムにおいては、時刻表示の再開を不揮発性メモリへの書き込み前とするように構成することも可能である。
【００５３】
［３．２］第２変形例
上記説明においては、時計表示の停止をすべてのデータ送受信およびメモリへの書き込み終了まで行っていたが、通信データ量が多く、送受信時間が長くなるようなシステムにおいては、データ通信とデータの非表示とを交互に繰り返す用に構成することも可能である。
より具体的には、図１１の処理フローチャートに示すように、ユーザがゲートＧ（図２参照）を通過するに際し、腕時計１１の文字板側をループアンテナ１７に近接させる（ステップＳ１１）。
一方、腕時計１１は、所定タイミング毎に外部送受信装置１２のアンテナ１７から調歩同期プロトコルにより送信されているポーリング信号を受信したか否かを判別している（ステップＳ１２）。
ステップＳ１２の判別において、ポーリング信号を受信しなかった場合には（ステップＳ１２；Ｎｏ）、待機状態となり、液晶表示パネル２９Ａには、時刻表示がなされている。
【００５４】
また、ステップＳ１２の判別において、ポーリング信号を受信した場合には（ステップＳ１２；Ｙｅｓ）、中央制御回路２５は、駆動回路２９Ｄに出力している制御信号Ｓを“Ｈ”レベルとし、時計表示を停止させる（ステップＳ１３）。
そして、データの一部の送受信を行う（ステップＳ１４）。
そして当該データの一部のデータ送受信が完了すると、中央制御回路２５は、当該データを不揮発性メモリ３３に書き込むこととなる（ステップＳ１５）。
そして、データ書き込みが終了すると、中央制御回路２５は、再び制御信号Ｓを“Ｈ”レベルとして液晶ディスプレイパネル２９Ａを点灯状態とし、時計表示を再開する（ステップＳ１６）。
そしてすべてのデータの受信が完了したか否かを判別し（ステップＳ１７）、すべてのデータの受信が完了した場合には（ステップＳ１７；Ｙｅｓ）、処理を終了する。
また、ステップＳ１７の判別において、すべてのデータの受信が完了していない場合には（ステップＳ１７；Ｎｏ）、再び処理をステップＳ１３に移行し同様の処理を繰り返すこととなる。
この結果、ユーザは、データ転送による時計表示の停止に気がつくことなく、データ通信を行うことができる。
【００５５】
［３．３］第３変形例
図１２に実施形態の第３変形例を示す。
本第３変形例が図３の実施形態と異なる点は、非接触型ＩＣカード機能を実現するＩＣカード機能部の駆動電源を外部送受信装置からの受信信号のキャリア信号を整流することにより得ている点およびデータの暗号化処理を行う暗号処理回路を設けた点である。
腕時計１１のＩＣカード機能部５０は、アンテナ２１と、同調コンデンサ５１と、整流回路５２と、復調部５４と、変調部５５と、基準信号作成回路５６と、パラレル／シリアル双方向変換部（ＳＰ／ＰＳ変換部）５７と、無線部中央制御回路５８と、不揮発性メモリ５９と、暗号処理回路６０と、を備えて構成されている。
【００５６】
アンテナ２１は、ループアンテナとして形成されている。
同調用コンデンサ５１は、アンテナ２１と協働してタンク（ｔａｎｋ）回路として機能する。
整流回路５２は、外部送受信装置１２から受信した受信信号のキャリア信号を整流して被電力供給部５３に電源として供給する。
復調部５４は、アンテナ２１を介して入力されたディジタル変調されている受信信号の復調を行いシリアル形式の受信データＤＳＲＸとしてパラレル／シリアル双方向変換部５７に出力する。
変調部５５は、入力されたシリアル形式の送信データＤＳＴＸをディジタル変調してアンテナ２１を介して外部送受信装置１２に送信する。
基準信号作成回路５６は、キャリア信号に同期した基準信号（基準クロック信号）を生成しパラレル／シリアル双方向変換部５７および無線部中央制御回路５８に出力する。
【００５７】
パラレル／シリアル双方向変換部５７は、、基準信号に基づいて受信データＤＳＲＸをシリアル／パラレル変換してパラレル形式の受信データＤＰＲＸとして無線部中央制御回路５８に出力するとともに、無線部中央制御回路５８から入力されたパラレル形式の送信データＤＰＴＸをパラレル／シリアル変換してシリアル形式の送信データＤＳＴＸとして変調部５５に出力する。
無線部中央制御回路５８は、ＩＣカード機能部５０全体を制御するとともに、腕時計１１全体を制御する中央制御回路２５との間で受信データＤＲＸおよび送信データＤＴＸを含む各種データのやりとりを行う。
不揮発性メモリ５９は、各種データを記憶する。
暗号処理回路６０は、無線部中央制御回路５８から入力された各種データに対し、暗号処理を施し、不揮発性メモリ５９に格納するとともに、無線部中央制御回路５８などで処理が必要なデータを不揮発性メモリ５９から読み出して復号化して出力する。
【００５８】
次に概要動作を説明する。
ＩＣカード機能部５０の整流回路５２は、外部送受信装置１２から受信した受信信号のキャリア信号を整流して被電力供給部５３に電源として供給し、この結果、被電力供給部５３は動作を開始することとなる。
電源が供給されると基準信号作成回路５６は、キャリア信号に同期した基準信号（基準クロック信号）を生成しパラレル／シリアル双方向変換部５７および無線部中央制御回路５８に出力する。
また、復調部５４は、外部送受信装置１２から誘導磁界として送られてくるＡＳＫ（Ａｍｐｌｉｔｕｄｅ  Ｓｈｉｆｔ  Ｋｅｙｉｎｇ）、ＦＳＫ（Ｆｒｅｑｕｅｎｃｙ  Ｓｈｉｆｔ  Ｋｅｙｉｎｇ）などの変調方式でディジタル変調されたポーリング信号（通信要求信号）を復調し、シリアル形式の受信データＤＳＲＸとしてパラレル／シリアル双方向変換部５７に出力する。
パラレル／シリアル双方向変換部５７は、入力された基準信号に基づいて受信データＤＳＲＸをシリアル／パラレル変換してパラレル形式の受信データＤＰＲＸとして無線部中央制御回路５８に出力する。
【００５９】
無線部中央制御回路５８は、ポーリング信号に対応する受信データＤＰＲＸを受け取ると、パラレル／シリアル双方向変換部５７、変調部５５、アンテナ２１および復調部５４を介して外部送受信装置１２との間で相互認証を行った後、外部送受信装置１２により指定された不揮発性メモリ５９のメモリアドレスからデータを暗号処理回路６０を介して読み出す。この場合、当該データは外部送受信装置へ送信するためのものであるため、暗号処理回路６０は復号化は行わない。読み出されたデータは、無線部中央制御回路５８により基準信号に同期して、送信データＤＰＴＸとしてパラレル／シリアル双方向変換部５７に出力される。パラレル／シリアル双方向変換部５７は、送信データＤＰＴＸをパラレル／シリアル変換してシリアル形式の送信データＤＳＴＸとして変調部５５に出力する。
変調部５５は、送信データＤＳＴＸに基づいてアンテナ２１および同調コンデンサ５１で構成されるタンク回路の共振状態を変化させるように制御し、外部送受信装置１２側にデータを送信することとなる。
【００６０】
［３．４］第４変形例
上記説明においては、表示部における表示を停止するに際し、駆動回路の動作を停止していたが、駆動回路を制御するための駆動制御信号の入力を禁止するように中央制御は、マイクロプロセッサユニット（ＭＰＵ）を用い、ＲＡＭ、ＲＯＭなどのメモリに格納されている制御用プログラムで制御を行うように構成することも可能である。また、駆動回路の昇圧回路部の昇圧クロックの入力を禁止するように構成することも可能である。
【００６１】
［３．５］第５変形例
上記説明においては、双方向無線通信の方式については言及していなかったが、１ｍ〜１０ｍ程度の局地的な通信が行えるものであればかまわない。例えば、２．４５ＧＨｚの無線周波数帯域を使う「ＢｌｕｅＴｏｏｔｈ」などの通信プロトコルを利用すればよい。
【００６２】
［３．６］第６変形例
以上の説明においては、携帯型無線通信装置として腕時計型情報機器を例として説明したが、ネックレス型、ペンダント型などユーザが装着可能なものであれば、さまざまな態様が可能である。
【００６３】
［３．７］第７変形例
以上の説明においては、各外部送受信装置あるいは腕時計型情報機器の制御用プログラムはあらかじめＲＯＭあるいはＲＡＭにインストールされているものとして説明していた。
しかしながら、半導体メモリ、ＣＤ、ＣＤ−Ｒ、ＤＶＤ（Digital Versatile Disk）、ＤＶＤ−Ｒ（ＤＶＤ−Rewritable）、ＤＶＤ−ＲＡＭ（ＤＶＤ−Random Access Memory）等の光ディスク、ＭＯ（Magneto-Optical）、ＭＤ（Mini Disk）などの光磁気ディスク、ハードディスク、フレキシブルディスクなどの磁気ディスクを含む制御用プログラムを記録可能な記録媒体に制御用プログラムを格納し、対応するドライブ装置を介して外部送受信装置あるいは腕時計型情報機器のメモリ（書換可能なＲＯＭあるいはＲＡＭ）にインストールし、外部送受信装置あるいは腕時計型情報機器を制御するＭＰＵ（Micro Processor Unit）が制御プログラムに基づいて動作を行うように構成することも可能である。
【００６４】
また、制御用プログラムをインターネット、専用線（無線および有線）、公衆回線（無線および有線）を含むネットワークを介して外部送受信装置あるいは腕時計型情報機器に配信することも可能である。この場合において、外部送受信装置あるいは腕時計型情報機器のメモリ（書換可能なＲＯＭあるいはＲＡＭ）に配信された制御用プログラムをインストールし、外部送受信装置あるいは腕時計型情報機器を制御するＭＰＵが制御プログラムに基づいて動作を行うようにすればよい。
【００６５】
【発明の効果】
本発明によれば、データ通信を行っているタイミングでは、表示部における表示を停止しているので、表示部からでるノイズによりデータ通信が影響を受けることがなく、通信感度の劣化、通信距離の短縮化および通信エラーの発生を抑制することができ、安定した通信特性を得ることが可能となる。
【図面の簡単な説明】
【図１】  実施形態のデータ通信システムの概要構成ブロック図である。
【図２】  外部送受信装置を入退場を容易に管理するためのゲートに設置した場合のゲートの外観斜視図である。
【図３】  第１実施形態の腕時計型情報機器の概要構成ブロック図である。
【図４】  受信回路と送信回路の概要構成ブロック図である。
【図５】  表示部周辺の構成説明図である。
【図６】  表示部周辺の他の構成説明図である。
【図７】  実施形態のデータ通信システムの概要タイミングチャートである。
【図８】  実施形態の処理フローチャートである。
【図９】  液晶表示パネルをスタティック駆動する場合の駆動信号例である。
【図１０】  第１実施形態の腕時計型情報機器の概要構成ブロック図である。
【図１１】  実施形態の第２変形例の処理フローチャートである。
【図１２】  実施形態の第３変形例の概要構成ブロック図である。
【符号の説明】
１０……データ通信システム
１１、７０……腕時計
１２……外部送受信装置
１３……制御装置
１４……送信回路
１５……受信回路
１６……高周波回路
１７……アンテナ
２１、７１……アンテナ
２２……切換回路
２３……受信回路
２４……送信回路
２５……中央制御回路
２６……鳴音部
２６Ｄ……駆動回路
２７……振動報知部
２７Ｄ……駆動回路
２８……発光報知部
２８Ｄ……駆動回路
２９……表示部
２９Ｄ……駆動回路
３０……外部操作入力部
３１……発振子
３２……基準信号作成回路
３３……不揮発性メモリ
３４……電池
７２……電源回路
７３……キャリア検出回路
７４……ＡＳＫ復調回路
７５……ＡＳＫ変調回路
７６……クロック作成回路
７７……ＩＣカード制御回路
７７Ａ……暗号処理回路
７８…不揮発性メモリ
７９……ＩＣカード部
８０……報知／計時制御部
【図１】
0004366880.tif 000002
【図２】
0004366880.tif 000003
【図３】
0004366880.tif 000004
【図４】
0004366880.tif 000005
【図５】
0004366880.tif 000006
【図６】
0004366880.tif 000007
【図７】
0004366880.tif 000008
【図８】
0004366880.tif 000009
【図９】
0004366880.tif 000010
【図１０】
0004366880.tif 000011
【図１１】
0004366880.tif 000012
【図１２】
0004366880.tif 000013